(57)【要約】【課題】乳房根元における病変を精度よく検出するとともに、乳房が大きい場合に対応して乳房先端付近における病変を見逃さないように、空間分解能を向上させた乳房断層画像撮影装置を提供する。【解決手段】乳房Ｂを通す孔１４を備えた天板１２と、コーンビームＣを放射するＸ線発生装置２０とＸ線の入射強度を検知するＸ線検出器１８とを搭載して回転軸Ａの周りを回転する架台１６と、Ｘ線発生装置２０とＸ線検出器１８を乳房の通る孔１４の周りに回転させるとともに、架台１６が回転軸Ａに垂直な面内で周回する間に定角度間隔でＸ線透過画像を取得する第１の撮影工程に加えて、架台１６を上記天板１２に対して回転軸Ａ方向に推移させ周回しながら定角度間隔でＸ線透過画像を取得する第２の撮影工程を実行させる制御装置とを備える。【選択図】図１
2010046355.tif 000002
【特許請求の範囲】
【請求項１】
乳房を通す孔を備え被検者がうつ伏せに横臥して該孔から乳房を垂下する天板と、
コーン状のＸ線ビームを放射するＸ線発生装置と、該Ｘ線発生装置と対向して配置され該Ｘ線発生装置から放射されるＸ線の入射強度を検知するＸ線検知素子を面上に複数配置したＸ線検出器とを搭載して回転軸の周りを回転する架台と、
該天板と該架台の運動と該Ｘ線発生装置とＸ線検出器の作動を制御する制御装置であって、前記架台を回転させて前記Ｘ線発生装置と前記Ｘ線検出器を前記乳房の通る孔の周りに回転させるとともに、該架台が前記回転軸に垂直な面内で周回する間に定角度間隔でＸ線透過画像を取得する第１の撮影工程に加えて、該架台を前記天板に対して相対的に該回転軸方向に推移させ周回しながら定角度間隔でＸ線透過画像を取得する第２の撮影工程を実行させる制御装置と、
を備える乳房断層画像撮影装置。
【請求項２】
前記第２の撮影工程が、1周ごとに周方向に所定角度シフトした位置を起点として周回を始める、請求項1記載の乳房断層画像撮影装置。
【請求項３】
前記第２の撮影工程が、前記回転軸方向に所定距離シフトした位置において該回転軸に垂直な面内で円回転してＸ線透過画像を取得する、請求項1または２に記載の乳房断層画像撮影装置。
【請求項４】
前記第２の撮影工程における撮影位置はらせん状に繋がる、請求項1または２に記載の乳房断層画像撮影装置。
【請求項５】
前記第２の撮影工程における撮影位置は、撮影が進むにつれて前記回転軸に近づく、請求項４記載の乳房断層画像撮影装置。
【請求項６】
前記第２の撮影工程における撮影回数は、前記第1の撮影工程における撮影回数と同数、または周回しながら撮影する１回転ごとに回転数分の1である、請求項３または４記載の乳房断層画像撮影装置。
【請求項７】
前記第２の撮影工程における撮影回数は、前記第1の撮影工程における回数より少ない、請求項３または４記載の乳房断層画像撮影装置。
【請求項８】
前記第1の撮影工程において取得した画像もしくは別途取得したプレショット画像に基づいて、前記第１の撮影工程で乳房全体のＸ線透過画像を取得できると判定された場合は、前記第２の撮影工程を省略する、請求項１から７のいずれか１項に記載の乳房断層画像撮影装置。
【発明の詳細な説明】
【技術分野】
【０００１】
本発明は、コンピュータトモグラフィ（ＣＴ）を用いた乳房断層画像撮影装置に関し、とくに、乳ガン診断に利用するＣＴに有利に適用できるＸ線透過画像取得装置を備えた乳房断層画像撮影装置に関する。
【背景技術】
【０００２】
従来、触診と超音波診断を用いて乳がん検査を行っていた。しかし、これらの検査では、ある程度大きく成長したがん細胞でなければ簡単に見つけることができない。このため、早期乳がんで発生する石灰化を見つけることが比較的容易なＸ線透過画像を用いるマンモグラフィが併用されるようになってきた。しかし、マンモグラフィは圧迫板で乳房を挟み平板化してＸ線透過画像を取得するので、被検者に苦痛を与えるおそれがある。また、得られた画像は単純なＸ線透過画像であるから、対象とする腫瘍部や石灰化が乳腺などＸ線像を形成する物と重なっている場合などには病巣の判定がしにくい。
【０００３】
そこで、乳房を圧迫しないで３Ｄ画像を得ることができるコンピュータトモグラフィ（ＣＴ）を使った乳房断層画像撮影装置（マンモＣＴ）が開発されてきた。マンモＣＴならば、被検者に苦痛を与えずに、小さな石灰化を検出できる。また、Ｘ線不透過部が重なった状態でも正確に評価でき、乳がんの早期発見に効果がある。
【０００４】
特許文献１は、マンモＣＴの１例を開示している。
特許文献１に開示されたマンモＣＴは、乳房位置に穴が開いたベッドと、穴の周りを水平に回転する架台と、ベッドや架台を運動させるモーターと計測装置を作動させるスイッチを制御する制御装置とを備える。測定装置は、Ｘ線発生装置と、これと対向配置されるＸ線検出装置と、Ｘ線検出装置で得られるＸ線透過画像から断層画像を再構成する演算装置とから構成される。Ｘ線発生装置とＸ線検出装置は架台に搭載され、乳房の周りを一緒に回転しながら、各方向から乳房のＸ線透過画像を取得する。
【０００５】
Ｘ線発生装置は、点火スイッチの開閉にしたがってＸ線を放射する。Ｘ線は錘状のコーンビームとなって被検体を透過しＸ線検出装置に入射する。Ｘ線検出装置は、Ｘ線検出素子が平面上にマトリックス状に配置されたフラットパネルデテクター（ＦＰＤ）である。各Ｘ線検出素子はＸ線発生装置から投射されるＸ線が光路中の物質により吸収されて残ったＸ線強度に対応する測定信号として蓄積し、ＦＰＤはそのときのＸ線透過画像を形成することになる。Ｘ線検出装置は、各検出素子の測定信号を走査して順次出力することにより、Ｘ線透過画像を伝送することができる。
【０００６】
被検者が、ベッドにうつ伏せに横たわり、測定したい乳房を穴に当てると、乳房はＸ線発生装置とＸ線検出装置との間に垂下してくる。そこで、コーンビームＸ線発生装置とＦＰＤが被検体である乳房の周りを回転しながら、所定角ごとにＸ線発生装置を作動させＸ線検出装置でＸ線透過画像を撮影し、再構成演算装置に画像信号を伝送する。再構成演算装置は、Ｘ線透過画像を再構成して３Ｄ化し、乳房のＸ線断層画像を作成する。Ｘ線透過画像は、たとえば１回転あたり３００枚撮影して利用する。
【０００７】
こうして得られたＸ線断層画像においては、石灰化部分は骨と同等の画像生成力を有するので、比較的小さな石灰化も容易に映像化でき、初期の乳がんも高い確率で発見できる。また、立体画像のため、乳腺などの組織の裏側にある病変部でも確実に検出することができる。したがって、マンモＣＴを併用することにより、乳がんの早期診断を的確に行うことができる。
【０００８】
なお、乳がんは胸壁付近に比較的多く発生するので、乳房の根元付近を精査することは必須である。特許文献２には、放射線源と放射線検出器をｎ回転させて1断面画像を取得するようにして、空間分解能を向上させた汎用のコンピュータ断層撮影装置が開示されている。開示装置は、1回転ごとにサンプリング位置を所定角度だけ周方向にずらすもので、ｎ回転で1断面の断層撮影像を取得するときに、1回転あたりのサンプリング数を（整数＋１／ｎ）としている。サンプリング数の増加と回転ごとのデータ取得位置のずれにより、アーチファクトを低減し空間分解能を向上させることができる。特許文献２に開示された技術をマンモＣＴに適用すれば、架台を何度も回転させて測定することにより乳房の根元付近を精査することができる。
【０００９】
一方、乳房が大きいときには、胸壁付近と乳房先端部の両方が１画面に収容されるように撮影した画像では解像度が小さくなって、小さな病痕を感度よく検出することができない場合がある。また、胸壁付近を精度よく診るために解像度の高い画像を使うと、乳房先端部分は画像からはみ出て評価できなくなる。このため、Ｘ線発生装置と検出部を搭載した架台を回転させながら軸方向に移動させてスパイラルな軌道に沿って撮影することにより、解像度を低下させずに先端部まで画像に納められるように構成することができる。
しかし、胸壁付近の平面内円軌道におけるものと、スパイラル軌道におけるものと、撮影位置の周方向角度が同じであるため画像情報が重複することになり、撮影回数が大きい割に空間分解能が向上しない。
【特許文献１】米国特許第６４８０５６５号明細書
【特許文献２】特開２００３−２９９６４４号公報
【発明の開示】
【発明が解決しようとする課題】
【００１０】
本発明の目的は、上述の問題点を解決し、乳房根元における病変を精度よく検出するとともに、乳房が大きい場合に対応して乳房先端付近における病変を見逃さないように、Ｘ線発生装置とＸ線検出装置を搭載した架台を回転させながら軸方向に移動させてスパイラル軌道に沿って撮影する場合に、空間分解能を向上させた乳房断層画像撮影装置を提供することである。
【課題を解決するための手段】
【００１１】
上記課題を解決するため、本発明に係る乳房断層画像撮影装置は、乳房を通す孔を備え被検者がうつ伏せに横臥して孔から乳房を垂下することができる天板と、コーン状のＸ線ビームを放射するＸ線発生装置と、Ｘ線発生装置と対向して配置されＸ線発生装置から放射されるＸ線の入射強度を検知するＸ線検知素子を面上に複数配置したＸ線検出器とを搭載して回転軸の周りを回転する架台と、上記天板と架台の運動とＸ線発生装置とＸ線検出器の作動を制御する制御装置であって、架台を回転させてＸ線発生装置とＸ線検出器を上記乳房を通す孔の周りに回転させるとともに、架台が回転軸に垂直な面内で周回する間に定角度間隔でＸ線透過画像を取得する第１の撮影工程に加えて、架台を上記天板に対して相対的に回転軸方向に推移させ周回しながら定角度間隔でＸ線透過画像を取得する第２の撮影工程を実行させる制御装置と、を備える。
特に、第２の撮影工程において、1周ごとに周方向に所定角度シフトした位置を起点として周回を始めることが好ましい。
【発明の効果】
【００１２】
本発明に係る乳房断層画像撮影装置によれば、測定時に乳房を圧迫して苦痛を与える従来のマンモグラフィに代えて、乳房を垂らすだけで特別な苦痛を与えない測定方法であって、大きな乳房であっても先端部を測定することができ、空間分解能が向上して、小さな兆候も見落とさず早期発見に適した感度の高い乳がん検診をすることができる。
【発明を実施するための最良の形態】
【００１３】
以下、本発明の実施形態について、図面を参照しながら詳しく説明する。
図１は本発明の１実施形態に係る乳房断層画像撮影装置の画像取得部について概念的に示した概念構成図、図２は乳房断層画像撮影装置の全体構成を説明するシステムブロック図である。
【００１４】
本実施形態に係る乳房断層画像撮影装置２００は、図1に示すとおり、乳房を通す孔１４を備え被検者Ｐがうつ伏せに横臥して孔１４から乳房Ｂを垂下することができる天板１２と、放射状のＸ線コーンビームＣを放射するＸ線発生装置２０と、Ｘ線発生装置２０と対向して配置されＸ線発生装置２０から放射され物体を透過したＸ線の入射強度を検知するＸ線検知素子を面上に複数配置したＸ線検出器１８とを搭載して回転軸Ａの周りを回転する架台１６を備える。
【００１５】
乳房断層画像撮影装置２００は、さらに、天板１２と架台１６の運動とＸ線発生装置２０とＸ線検出器１８の作動を制御する制御装置を備える。また、乳房断層画像撮影装置２００には、画像処理装置および画像表示装置を備える。
図２を参照すると、乳房断層画像撮影装置２００は、画像生成部１１０、画像処理部１２０、画像保存部１３０、画像表示部１４０、撮影部１６０、天板部１７０で構成される。
【００１６】
画像生成部１１０は、具体的にはＸ線発生装置２０に対応するＸ線発生手段１１３とＸ線検出器１８に対応するＸ線検出手段１１５からなり、撮影手段１１１からトリガー信号を受けると、Ｘ線発生手段１１３がコーンビームＣを放射し、Ｘ線検出手段１１５が被検体を透過したコーンビームＣを検出して画像信号を生成し画像処理部１２０に送信する。
【００１７】
画像処理部１２０は、画像処理手段１２１、画像補正手段１２３、画像再構成手段１２５、確認画像生成手段１２７および調整値算出手段１２９からなる。
画像処理手段１２１は、画像生成部１１０から入力した検出信号に基づいてＸ線検出手段１１５が検出したＸ線透過画像の画像信号を生成する。生成した画像信号は画像補正手段１２３に伝達されると共に、画像保存部１３０や画像表示部１４０に伝送され、取得画像情報として参照することができる。
【００１８】
画像補正手段１２３は、入手した原画像信号についてノイズを除去し、アーチファクトを低減させるなどの補正を施して、画像再構成手段１２５および確認画像生成手段１２７に伝達する。
画像再構成手段１２５は、被検体について取得した各方向からの画像信号がそろったところで、再構成演算を行って被検体のＣＴ画面を形成する画像信号を生成し、画像保存部１３０と画像表示部１４０に伝送する。
【００１９】
確認画像生成手段１２７は、装置２００の調整に使う確認画像を生成して調整値算出手段１２９に送る。画面と被検体の位置関係が分かるような画像を生成して、正しいアライメントができているか、的確な分解能を持っているか、余分なノイズが含まれないか、など装置の調整値と関連する事項を確認する。
調整値算出手段１２９は、画面枠の位置、信号強度、その他の環境値について期待値からの偏差を解消させるために必要な調整値を算出して、撮影部制御手段１６１と天板部制御手段１７１に供給する。
なお、調整値は、キーボードやタッチパネルあるいはマウスを使ったデータ入力装置などで構成される調整値入力手段１５１を介して、オペレータが直接に指定することもできる。
【００２０】
画像保存部１３０には、画像メモリなどで形成される画像保存手段１３１が設けられていて、画像情報が必要になったら簡単に読み出して利用できるようになっている。
画像表示部１４０には、画像表示手段１４１と確認画像表示手段１４３が設けられている。画像表示手段１４１は、乳がん診断に用いる画像として、乳房内に腫瘍、石灰化、がん組織などが存在しないかを確認するための乳房の断面画像や立体画像などを表示する。また、確認画像表示手段１４３は乳房断層画像撮影装置２００の異常や不調を監視したり調整したりするために利用できる画像を表示する。特に、調整をオペレータが実施する場合には、確認画像表示手段１４３により表示された画像を観察しながら調整する必要がある。
【００２１】
撮影部１６０は、撮影部制御手段１６１に支配される撮影部回転手段１６３、撮影部昇降手段１６５、Ｘ線検出部並進手段１６７、Ｘ線発生部並進手段１６９を備える。画像生成部１１０を駆動させた撮影手段１１１は、撮影手順を進行させるたびに、撮影部制御手段１６１にトリガー信号を供給して、撮影部回転手段１６３と撮影部昇降手段１６５を介してＸ線発生手段１１３とＸ線検出手段１１５を搭載した架台１６の回転および高さを次に決められた位置に調整する。また、Ｘ線検出手段１１５とＸ線発生手段１１３あるいは被検体Ｂすなわち回転軸Ａまでの距離を加減して検出感度を調整することもできる。
【００２２】
天板部１７０は、天板部制御手段１７１に支配される天板並進手段１７３と天板昇降手段１７５で構成される。被検体Ｂに照射するコーンビームＣの位置は、架台１６の昇降で容易に調整することができるが、相対的な関係にあるので、天板１２を昇降して高さを調整することによっても可能である。また、左右の乳房を切り替えて診断するときには、架台１６の回転軸Ａと乳房の位置を合わせ直す必要がある。特に、天板１２に左右の乳房に合わせて２個の穴が開けられている場合には、他方の穴を回転軸Ａの位置まで並進させて位置合わせすることになる。
【００２３】
診断時には、被検者Ｐが天板１２上にのぼり、うつ伏せになって乳房Ｂを天板１２の穴１４に落とすと、乳房Ｂが、Ｘ線発生装置２０とＸ線検出装置１８を搭載した架台１６の回転軸Ａの近くに垂れ下がって、観測位置に収まる。そこで、乳房断層画像撮影装置２００を始動すると、架台１６が回転する間、撮影手段１１１が所定の角度ごとにトリガーを発生してＸ線発生手段１１３にコーンビームＣを放射させ、Ｘ線検出手段１１５が乳房ＢのＸ線透過画像を生成して画像信号を画像処理部１２０に送信する。
乳がんは乳房の根元部分によく発生するので、架台１６は根元位置を照射しながら周回して危険部位を精査する。
【００２４】
図３は被検体の乳房とＸ線発生装置とＸ線検出装置の位置関係を説明する図面である。
Ｘ線ＣＴを使って検出したい主な対象は乳房内の石灰化で、石灰化は骨と同様に影像がクリアになるため、かなり小さなものでも装置の分解能さえ大きければはっきりと検出することができる。しかし、分解能を大きくするためＸ線検出装置１８における検出素子当たりの被測定部分の面積を小さくとれば、図３（ａ）に示すように、乳房Ｂの先端部がＸ線検出装置１８の画面からはみ出てしまう。また、大きな乳房を対象とするときにも、画面からはみ出して乳頭付近の情報を得ることができない場合が生じる。一方、大きな乳房でも全体が１画面に収納されるほど画面当たりの被検体面積を大きくとれば、小さな石灰化を見落として、早期検診の効果を棄却することになる。
【００２５】
そこで、本実施形態に係る乳房断層画像撮影装置２００は、架台１６を回転させてＸ線発生装置２０とＸ線検出器１８を上記乳房を通す穴１４の周りに回転させるとともに、架台１６が回転軸Ａに垂直な面内で周回する間に定角度間隔でＸ線透過画像を取得する第１の撮影工程に加えて、撮影部昇降手段１６５により架台１６を昇降させる駆動軸を備えて、図３（ｂ）に示すように、架台１６を上記天板１２に対して相対的に回転軸方向に推移させ周回しながら定角度間隔でＸ線透過画像を取得する第２の撮影工程を実行させる制御装置を備える。
これにより、十分な空間分解能を確保しながら乳房Ｂの先端部分についても観察するので、乳房Ｂの全体に亘って感度よく石灰化あるいは腫瘍を検出することができ、乳がんの早期発見をして診断効果を高めることができる。
【００２６】
また、第２の撮影工程において、1周ごとに周方向に所定角度シフトした位置を起点として周回を始めるようにすれば、多数の画像を用いることによりノイズを低水準に抑えるのみならず、第１撮影工程と第２撮影工程において取得したＸ線透過画像同士が異なる方向から撮影したものとなって、アーチファクトを減少させて良質のＸ線断層画像を得ることができる。
【００２７】
図４はＸ線透過画像撮影時のＸ線発生装置２０の軌跡を表した斜視図、図５は軌跡の（ａ）平面図と（ｂ）立面図である。黒丸は撮影時のＸ線発生装置の位置を表し、番号は撮影順を表す。Ｘ線検出装置１８は、乳房Ｂを挟んでＸ線発生器２０と対向する位置にあり、架台１６が垂直方向に移動するとＸ線発生器２０と一緒に同じ距離だけ移動する。
乳房ＢがＸ線コーンビームＣから溢れたときに、架台１６を軸方向にシフトして複数回回転して撮影する場合、それぞれ撮影時における角度が周方向に重ならないようにして撮影することにより、角度分解能を向上させることができる。
【００２８】
臨床研究でも、１回転当たり３００枚撮影した例があるが、図４，５では、簡単のため、１周当たりの撮影枚数を８枚としたものである。撮影間隔は４５度となるが、１周目と２周目でそれぞれ同じ撮影枚数とし、第２周の撮影開始位置を２２．５度ずらしてある。すなわち、乳房Ｂの根元で水平面内を１周する第１撮影工程では、撮影開始位置を基準として、０度から３１５度まで４５度おきに８回撮影し、スパイラル状に撮影する第２撮影工程においては、２２．５度を開始点として、３３７．５度まで４５度おきに８回撮影している。１６枚のＸ線透過画像は乳房Ｂをそれぞれ別の方向から撮影したものになる。
これら１６枚のＸ線透過画像を用いれば、アーチファクトの少ない良質のＣＴ画面を得ることができる。
【００２９】
また、図６は、本実施形態の別の実施態様における撮影位置を示す（ａ）平面図と（ｂ）立面図である。この実施態様では、Ｘ線検出装置１８とＸ線発生器２０の位置を軸方向にずらしては、それぞれ同じ回転当たり撮影枚数で、水平面内を各１周しながらＸ線透過画像を取得するものである。図では、乳房Ｂの根元で１周する第１撮影工程の他に、第２撮影工程として２個の水平回転軌道を設けている。それぞれの水平回転軌道において撮影開始位置は１５度ずつシフトしている。すなわち、第１撮影工程では０度から３１５度まで４５度おきに８回撮影し、第２撮影工程の初めの１周では１５度から３３０度まで４５度おきに８回撮影し、第２撮影工程の後の１周では３０度から３４５度まで４５度おきに８回撮影している。
【００３０】
本実施態様の利点は、角度分解能が向上するばかりでなく、回転軸方向にシフトして固定してから回転運動をさせるので、機構的に簡単な制御でよいこと、再構成演算も回転スキャンのみを扱うのでアルゴリズムが単純化することなどにある。
【００３１】
図７は、本実施形態のさらに別の実施態様における撮影位置を示す（ａ）平面図と（ｂ）立面図である。この実施態様では、乳房Ｂの根元で１周する第１撮影工程の他に、第２撮影工程としてＸ線検出装置１８とＸ線発生器２０の位置を軸方向にずらしながら、第１撮影工程に対して回転当たり撮影枚数が半分になるようにほぼ１周してＸ線透過画像を取得するものである。すなわち、第１撮影工程では０度から３１５度まで４５度おきに８回撮影し、第２撮影工程では開始点をずらして、６７．５度から３３７．５度まで９０度おきに４回撮影している。
【００３２】
乳房Ｂは根元で最も太く先端に近づくほど細くなるので、スパイラル撮影では撮影枚数を減少させても、水平面内回転だけと比べれば角度分解能は向上し、図３に示す撮影方法と比較しても大きな低下はない。一方、図３における方法と比較すると、スパイラル撮影における撮影枚数が減少するため、被爆が低減する効果がある。合計１２枚のＸ線透過画像は、それぞれ撮影角度に重なりはなく、アーチファクトの少ない良質のＸ線断層画像を得ることができる。
【００３３】
図８は、本実施形態のまた別の実施態様における撮影位置を示す（ａ）平面図と（ｂ）立面図である。この実施態様では、乳房Ｂの根元で１周する第１撮影工程の他に、第２撮影工程としてＸ線検出装置１８とＸ線発生器２０の位置を軸方向にずらしながら、かつＸ線発生装置２０を回転軸Ａに近づけていくようにスパイラルにほぼ１周してＸ線透過画像を取得するものである。すなわち、第１撮影工程では０度から３１５度まで４５度おきに８回撮影し、第２撮影工程では開始点をずらし、２２．５度から３３７．５度まで４５度おきに８回撮影しているが、この間に回転軸Ａからの距離を減少させ、最後にはほぼ半減させている。
【００３４】
乳房Ｂは先端に行くにしたがって細くなるので、Ｘ線発生装置２０の位置をスパイラルに移動させるにつれて、回転軸Ａからの距離を短くすることにより、拡大撮影が進むことになる。これにより、乳房Ｂの先端部分の拡大率が大きくなり、実質的な角度分解能が向上して、異常を感度よく発見することができる。ただし、スパイラル撮影で取得したＸ線透過画像は拡大率が変化するので、拡大率を調整した後に再構成演算して断層画像とする必要がある。
【００３５】
上記実施形態において、第２撮影工程における１周ごとの撮影枚数を、第１撮影工程の撮影枚数と同じか、整数分の１にしている。こうすることにより、乳房断層画像撮影装置における機構的制御や画像再構成時におけるＦＦＴなどの画像処理が簡単化して装置コストが低減する効果がある。しかし、必ずしも１にする必要がないことはいうまでもない。
なお、第２撮影工程の要否は、主として乳房の大きさに従うので、オペレータが乳房の大きさを評価して判断したり、コンピュータが第１撮影工程で得られた何枚かの画像から乳頭先端が欠けているかを判定して自動設定するようにしたりすることができる。あるいは、位置決め確認用に低線量のプレショット撮影を行って、これに基づいて決定することもできる。
【産業上の利用可能性】
【００３６】
本発明により、乳がんの早期発見に資する乳房断層画像撮影装置を提供することができた。特に、乳房が大きく装置の分解能が問題になる場合にも、大きな乳房に対して適用できるサンプリング方法により分解能を高いＸ線透過画像を取得するので、乳がんの早期発見に役立つ乳房断層画像を得ることができる。
【図面の簡単な説明】
【００３７】
【図１】本発明の１実施形態に係る乳房断層画像撮影装置の画像取得部について概念的に示した概念構成図である。
【図２】本実施形態に係る乳房断層画像撮影装置の全体構成を説明するシステムブロック図である。
【図３】本実施形態における被検体とＸ線発生装置とＸ線検出装置の位置関係を説明する図面である。
【図４】本実施形態の１実施態様におけるＸ線透過画像撮影時のＸ線発生装置２０の軌跡を表した斜視図である。
【図５】本実施態様におけるＸ線発生装置の軌跡の平面図と立面図である。
【図６】本実施形態の別の実施態様におけるＸ線発生装置の軌跡の平面図と立面図である。
【図７】本実施形態のさらに別の実施態様におけるＸ線発生装置の軌跡の平面図と立面図である。
【図８】本実施形態のまた別の実施態様におけるＸ線発生装置の軌跡の平面図と立面図である。
【符号の説明】
【００３８】
２００  乳房断層画像撮影装置
１２  天板
１４  乳房を通す孔
１６  架台
１８  Ｘ線検出器
２０  Ｘ線発生装置
１１０  画像生成部
１１１  撮影手段
１１３  Ｘ線発生手段
１１５  Ｘ線検出手段
１２０  画像処理部
１２１  画像処理手段
１２３  画像補正手段
１２５  画像再構成手段
１２７  確認画像生成手段
１２９  調整値算出手段
１３０  画像保存部
１３１  画像保存手段
１４０  画像表示部
１４１  画像表示手段
１４３  確認画像表示手段
１５１  調整値入力手段
１６０  撮影部
１６１  撮影部制御手段
１６３  撮影部回転手段
１６５  撮影部昇降手段
１６７  Ｘ線検出部並進手段
１６９  Ｘ線発生部並進手段
１７０  天板部
１７１  天板部制御手段
１７０  天板部
１７１  天板部制御手段
１７３  天板並進手段
１７５  天板昇降手段
【図１】
2010046355.tif 000003
【図２】
2010046355.tif 000004
【図３】
2010046355.tif 000005
【図４】
2010046355.tif 000006
【図５】
2010046355.tif 000007
【図６】
2010046355.tif 000008
【図７】
2010046355.tif 000009
【図８】
2010046355.tif 000010